(57)【要約】【課題】従来の風力発電装置において、風洞式プロペラ形風車の風洞内に小動物などの小鳥や昆虫の侵入防止装置が無く、また風洞式プロペラの風を切る騒音があり、さらに垂直軸形風車の揚力縦横羽に風杯窪みの抗力孔を新たに施したものがなくそれらの課題を解決した。【解決手段】本発明は、風洞式プロペラ形風車の風洞内前部に補助プロペラを施し小動物などの小鳥や昆虫の侵入を防止するものである。また、風洞式プロペラの風を切る騒音を風洞内壁消音シートやプロペラの後部支持軸に反響波板を施し消音するものである。さらに、垂直軸形風車の揚力縦横羽に風杯窪みの抗力孔や慣性力を新たに施し発電効率を増した風力発電装置トゥ−ル式である。【選択図】図１
2007291903.tif 000002
【特許請求の範囲】
【請求項１】
風力発電装置の風洞式プロペラ発電装置で鳥除け防止の補助プロペラ２枚羽〜複数枚羽を風洞内発電機の前部に取付け鳥や昆虫の侵入を防止するものである。また、発電主動プロペラ２枚羽〜複数枚羽の後部の風洞内部に吸音シートを張り、さらに風洞内支持軸に消音版を施し消音した形態の発電装置である。さらにまた、垂直軸形風力発電装置の揚力縦羽に風杯窪みの抗力孔を施した２枚羽〜複数枚羽と揚力横羽に風杯窪みの抗力孔及び慣性力錘を風環境や装置の大きさにより異なるが揚力縦羽の１枚羽に対して揚力横羽に１枚羽〜複数枚羽を施した形態を特徴とする、風力発電装置トゥ−ル式である。
【請求項２】
図２・図３・図４で示す、垂直軸形風力発電装置の揚力縦羽１２に風杯窪みの抗力孔１２−A断面を示した羽の回転方向に異なる風方向点線矢印１２−E〜Lの抗力を受けることができる風杯窪みの抗力孔１２−Aを施した揚力縦羽１２形態のである。また、揚力縦羽１２の外側面と内側面を反対面形状にして回転揚力方向を内側前方することもできる揚力縦羽１２形態を特徴とする、請求項１の風力発電装置トゥ−ル式である。
【請求項３】
図５・図６・図７で示す、垂直軸形風力発電装置の揚力横羽１５に風杯窪みの抗力孔１５−A断面を示した羽の回転方向に異なる風方向点線矢印１５−E〜Lの抗力を受けることができる風杯窪み形態と羽の補強パイプ１５−Cの中に固体球状錘１７を数箇所施した発電装置である。また、揚力横羽１５の上部面に風杯窪みの抗力孔１５−Aを配置するために降水時に雨水が溜まるため水抜きパイプ２１を下部面の風杯窪みの抗力孔１５−Aに接合して排水し、雨水溜まりで発電力低下を防止した風杯窪みの抗力孔１５−Aである。さらにまた、揚力横羽１５に空気の流れを長く持たせた羽の膨らみで回転下部前方側揚力１５−Mを施して強風時に垂直軸形風力発電装置の揚力縦羽１２が上昇して風洞式プロペラ発電装置ａとの接触破損を防止する形態を特徴とする、請求項１又は２の風力発電装置トゥ−ル式である。
【請求項４】
図８・図９・図１０で示す、垂直軸形風力発電装置に揚力縦横羽１２・１５に風杯窪みの抗力孔１２−A・１５−Aの断面形状で、その形状が笛状の為に音が発生するので音発生箇所に消音パット布又はゴム・合成ゴム及びプラスチック繊維２０を設置し消音を施した風杯窪みの抗力孔１２−A・１５−A形状形態を特徴とする、請求項１・２又は３の風力発電装置トゥ−ル式である。
【請求項５】
図１１で示す、風洞式プロペラ発電装置ａに風洞内後部の支持軸９に発電主動プロペラ２の風切る音の波９−Bを反響波板９−Aにおいて反響波９−Cをおこし音の波の山と谷が出会うと音の波が打ち消しあう消音効果で、その反響波を数多くするために波板を施し音波拡散させ消音した形状形態を特徴とする、請求項１・２・３又は４の風力発電装置トゥ−ル式である。
【発明の詳細な説明】
【技術分野】
【０００１】
本発明は、私の風力発電装置特許第３７６６８４５号の風洞式プロペラ形風車と垂直軸形風車に関連するものである。
【背景技術】
【０００２】
従来の風力発電装置に関しては、風洞式プロペラ形風車の風洞内に小動物の鳥や昆虫類除け及びプロペラの消音と垂直軸形風車の揚力縦横羽に風杯窪み抗力孔を新たに施したものがなっかた。
【０００３】
また、垂直軸形風車の揚力横羽に特許第３７６６８４５号の慣性力を増大させ、垂直軸形風車揚力横羽の形態を新たに施したものである。
【０００４】
【特許文献１】特許第３７６６８４５号（特開２００６−０９０２４６）
【発明の開示】
【発明が解決しようとする課題】
【０００５】
従来の風洞式プロペラ形風車の風洞内においては、小動物の鳥や昆虫類除け及び風洞式プロペラの回転時に風を切る音に消音を新たに施した装置である。
【０００６】
また、垂直軸形風車の揚力縦横羽に風杯窪みの抗力孔を新たに施したものである。
【０００７】
さらに、垂直軸形風車の揚力横羽に特許第３７６６８４５号の慣性力を増大させたものである。
【課題を解決するための手段】
【０００８】
本発明の目的を達するために、風洞式プロペラ形風車の風洞内に小動物の鳥や昆虫類除けに発電用プロペラの他に発電機前面風入口に新たにプロペラを設置し風力による回転をさせて鳥や昆虫類の巣作りや飛び込みを阻止するものである。
【０００９】
また、風洞式プロペラの回転時に風を切る音が風洞内において、反響音するものを吸音する繊維状を編みこんだシート、例えば毛布の消音効果を風洞内壁に内張りにして消音を施し設置したものである。
【００１０】
さらに、発電用プロペラの風下にあたる風洞内支持軸に消音装置にするために支持軸表面形状をプロペラの大きさにより音が異なるが、そのプロペラの騒音になる音波の波長に合わせた波板型に施し反射してプロペラの音波を風洞内において同調させお互いに打ち消しあう効果で消音したものである。
【００１１】
本発明の目的を達するために、垂直軸形風車の揚力縦横羽に風杯窪みの抗力孔を羽の大きさにより異なるが羽の最大厚みのところより回転方向後ろに抗力孔数個を施し風の異なる風向に風杯抗力を持たせて羽の揚力を維持した垂直軸形風車羽の発電効率を向上させたものである。
【００１２】
さらにまた、垂直軸形風車の揚力横羽内に羽補強パイプを数個設けて、その中に球状固体錘を入れて慣性力を増して発電効率向上させたものである。
【発明の効果】
【００１３】
本発明の、風力発電装置の風洞式プロペラ形風車の風洞内に小動物の鳥や昆虫類除けに発電用プロペラの他に発電機前面風入口に新たにプロペラを設置し風力による回転をさせて鳥や昆虫類の巣作りや飛び込みを阻止して、発電力の低下や動物を傷つけたり殺害することをさける効果がある。
【００１４】
また、風力発電装置の風洞式プロペラ形風車のプロペラ騒音を減らすことにより地域環境の騒音を低くする消音効果のある装置。
【００１５】
本発明の、垂直軸形風車の揚力縦横羽に風杯窪みの抗力孔図２の１２−Aと図５の１５−A形状を施すことにより図２の１２−E〜Lと図５の１５−E〜Lで示す風の異なる風向に風杯抗力で回転力を促すことができる形態である。
【００１６】
さらに、垂直軸形風車の揚力横羽に図５の１５−Cで示す羽補強パイプを数個設けて強風時の羽破損を防止して、その中に固体球状錘を入れて慣性力を高めて風の強弱風波を平均化して風車回転を安定させて発電効率向上させたものである。
【発明を実施するための最良の形態】
【００１７】
以下、本発明の実施形態を図１〜図１１に基づいて説明する。
【００１８】
図１においては、風力発電装置トゥ−ル式の断面図で風洞式プロペラ発電装置ａの断面を示したもので鳥除け防止の補助プロペラ２枚羽〜複数枚羽１を発電機３の前部に取付け鳥や昆虫の侵入を防止するものである。また、発電主動プロペラ２枚羽〜複数枚羽８の後部の風洞内部に吸音シート１０を張り、風洞内支持軸９に消音版を施した形態の発電装置である。さらに、垂直軸形風力発電装置ｂの断面を示したもので揚力縦羽１２に風杯窪みの抗力孔を施した２枚羽〜複数枚羽と揚力横羽１５に風杯窪みの抗力孔及び慣性力錘１７を風環境や装置の大きさにより異なる揚力縦羽１２の１枚羽に対して揚力横羽１５に１枚羽〜複数枚羽を施した形態の発電装置である。
【００１９】
図２においては、垂直軸形風力発電装置の揚力縦羽１２に風杯窪みの抗力孔１２−A断面を示したもので羽の回転方向に異なる風方向点線矢印１２−E〜Lの抗力を受けることができる風杯窪みの抗力孔１２−Aを数個施した揚力縦羽１２形態のである。また、揚力縦羽１２の外側面と内側面を反対面形状にして回転揚力方向を内側前方することもできる揚力縦羽１２形態である。
【００２０】
図３においては、垂直軸形風力発電装置の揚力縦羽１２に風杯窪みの抗力孔１２−Aの回転軸より羽の揚力側面を示す平面図である。
【００２１】
図４においては、垂直軸形風力発電装置の揚力縦羽１２に風杯窪みの抗力孔１２−Aの回転軸より羽の揚力反対側面を示す平面図である。
【００２２】
図５においては、垂直軸形風力発電装置の揚力横羽１５に風杯窪みの抗力孔１５−A断面を示したもので羽の回転方向に異なる風方向点線矢印１５−E〜Lの抗力を受けることができる風杯窪み形態と羽の補強パイプ１５−Cの中に固体球状錘１７を数箇所施した発電装置である。また、揚力横羽１５の上部面に風杯窪みの抗力孔１５−Aを配置するために降水時に雨水が溜まるため水抜きパイプ２１を下部面の風杯窪みの抗力孔１５−Aに接合し雨水溜まりで発電力低下を防止した風杯窪みの抗力孔１５−Aである。さらにまた、揚力横羽１５に空気の流れを長く持たせた羽の膨らみで回転下部前方側揚力１５−Mを施して強風時に垂直軸形風力発電装置の揚力縦羽１２が上昇して風洞式プロペラ発電装置ａとの接触破損を防止する形態である。
【００２３】
図６においては、垂直軸形風力発電装置の揚力横羽１５に風杯窪みの抗力孔１５−Aの回転軸より羽の上部面を示す平面図である。
【００２４】
図７においては、垂直軸形風力発電装置の揚力横羽１５に風杯窪みの抗力孔１５−Aの回転軸より羽の下部面を示す平面図である。
【００２５】
図８・図９・図１０においては、垂直軸形風力発電装置の揚力縦横羽１２・１５に風杯窪みの抗力孔１２−A・１５−Aの断面形状を示すもので、その形状が笛状の為に音が発生するので音発生箇所に消音パット布又はゴム・合成ゴム及びプラスチック繊維２０を設置し消音を施した風杯窪みの抗力孔１２−A・１５−A形状形態である。
【００２６】
図１１においては、風洞式プロペラ発電装置ａの風洞内後部の支持軸９に発電主動プロペラ２の風切る音の波９−Bを反響波板９−Aにおいて反響波９−Cをおこし音の波の山と谷が出会うと音の波が打ち消しあう消音効果で、その反響波を数多くするために波板にして音の反射状態を示す９−E〜Lを施し音波拡散させ消音した形状形態である。
【図面の簡単な説明】
【００２７】
【図１】風力発電装置トゥール式の断面図
【図２】風力発電装置トゥール式の垂直軸形風車揚力抗力縦羽断面図
【図３】風力発電装置トゥール式の垂直軸形風車揚力抗力縦羽の揚力側平面図
【図４】風力発電装置トゥール式の垂直軸形風車揚力抗力縦羽の揚力反対側平面図
【図５】風力発電装置トゥール式の垂直軸形風車揚力抗力横羽断面図
【図６】風力発電装置トゥール式の垂直軸形風車揚力抗力横羽の上部側平面図
【図７】風力発電装置トゥール式の垂直軸形風車揚力抗力横羽の下部側平面図
【図８】風力発電装置トゥール式の垂直軸形風車揚力抗力縦横羽の風杯窪みの抗力孔断面図
【図９】風力発電装置トゥール式の垂直軸形風車揚力抗力縦横羽の風杯窪みの抗力孔断面図
【図１０】風力発電装置トゥール式の垂直軸形風車揚力抗力縦横羽の風杯窪みの抗力孔断面図
【図１１】風力発電装置トゥール式の風洞式プロペラ形風車内後部支持軸の消音板断面図
【符号の説明】
【００２８】
ａ  風力発電装置トゥール式の風洞式プロペラ形風車内
１  鳥除け防止の補助プロペラ
２  風洞
３  発電機
４  風洞内前部支持軸
５  強風案定翼
６  風向案定翼
７  風向案定尾翼
８  主動プロペラ
９  風洞内後部支持軸
９−A  反響波板
９−B  主動プロペラの音の波を示したもの
９−C  反響音の波を示したもの
９−D  反響波板の拡大図
９−E  音の乱反射を示した矢印
１０  風洞内消音シート張り
ｂ  風力発電装置トゥール式の垂直軸形風車
１１  風杯
１２  垂直軸形風車の縦羽
１２−A  縦羽風杯窪みの抗力孔
１２−B  縦羽揚力反対側面の風杯抗力方向を示す矢印
１２−C  縦羽の回転方向を示す矢印
１２−D  縦羽揚力側面の風杯抗力方向を示す矢印
１２−E〜L縦羽風杯抗力の異なる風方向を示す点線矢印
１２−M  縦羽の揚力方向示す矢印
１２−Ｎ  縦羽の補強パイプ
１３  垂直軸形風車の回転軸
１４  垂直軸形風車の固定軸
１５  垂直軸形風車の横羽
１５−Ａ  横羽風杯窪みの抗力孔
１５−Ｂ  横羽上部側面の風杯抗力方向を示す矢印
１５−Ｃ  横羽の補強及び慣性錘の移動パイプ
１５−Ｄ  横羽下部側面の風杯抗力方向を示す矢印
１５−E〜L横羽風杯抗力の異なる風方向を示す点線矢印
１５−M  横羽の揚力方向示す矢印
１５−N  横羽の回転方向示す矢印
１６  回転軸と発電機の連動歯車
１７  垂直軸形風車の横羽内慣性錘
１８  垂直軸形風車の横羽角度
１９  垂直軸形風車の発電機
２０  消音パット
２１  水抜きパイプ
【図１】
2007291903.tif 000003
【図２】
2007291903.tif 000004
【図３】
2007291903.tif 000005
【図４】
2007291903.tif 000006
【図５】
2007291903.tif 000007
【図６】
2007291903.tif 000008
【図７】
2007291903.tif 000009
【図８】
2007291903.tif 000010
【図９】
2007291903.tif 000011
【図１０】
2007291903.tif 000012
【図１１】
2007291903.tif 000013